(57)【要約】【課題】記録された映像コンテンツデータの再生を適切に行うコンテンツ記録装置、コンテンツ記録プログラム及び制御方法を提供する。【解決手段】録画装置１０は、アンテナ４０を介してＨＤ解像度デジタル放送信号を受信すると、当該ＨＤ解像度デジタル放送信号を復調し、ＨＤ解像度映像信号を取得し、更に、当該ＨＤ解像度映像信号を復号して、ＨＤ解像度映像コンテンツデータを取得する。その後、録画装置１０は、ＨＤ解像度映像コンテンツデータを、内蔵機器及び外部機器の数だけ複製し、複製ＨＤ解像度映像コンテンツデータを取得し、各複製ＨＤ解像度映像コンテンツデータの解像度を低下させ、低解像度映像コンテンツデータを取得し、記憶する。【選択図】図２
2012039221.tif 000002
【特許請求の範囲】
【請求項１】
映像コンテンツデータを記録するコンテンツ記録装置であって、
映像コンテンツデータを受信する受信部と、
前記受信部により受信された映像コンテンツデータを複製して複製映像コンテンツデータを取得する複製部と、
前記複製部により取得された複製映像コンテンツデータに対応する映像の解像度を低下させ、低解像度複製映像コンテンツデータを取得する解像度設定部と、
前記低解像度複製映像コンテンツデータを記憶する記憶部と
を備えるコンテンツ記録装置。
【請求項２】
前記複製部は、外部接続又は内蔵された装置において処理可能な解像度の種類数の複製映像コンテンツデータを取得する請求項１に記載のコンテンツ記録装置。
【請求項３】
前記複製部は、予め設定された数の複製映像コンテンツデータを取得する請求項１に記載のコンテンツ記録装置。
【請求項４】
前記解像度設定部は、前記複製部により取得された複製映像コンテンツデータに対応する映像の解像度を、外部接続又は内蔵された装置において処理可能な解像度に低下させる請求項１乃至３の何れかに記載のコンテンツ記録装置。
【請求項５】
前記解像度設定部は、前記複製部により取得された複製映像コンテンツデータに対応する映像の解像度を、予め定められた解像度に低下させる請求項１乃至３の何れかに記載のコンテンツ記録装置。
【請求項６】
前記複製部は、自身による複製以外の処理が行われている場合に、前記受信部により受信された映像コンテンツデータを複製して複製映像コンテンツデータを取得する処理を制限する請求項１に記載のコンテンツ記録装置。
【請求項７】
映像コンテンツデータを記録するコンピュータに、
映像コンテンツデータを受信するステップと、
受信された映像コンテンツデータを複製して複製映像コンテンツデータを取得するステップと、
取得された複製映像コンテンツデータに対応する映像の解像度を低下させ、低解像度複製映像コンテンツデータを取得するステップと、
前記低解像度複製映像コンテンツデータを記憶するステップと
を実行させるコンテンツ記録プログラム。
【請求項８】
映像コンテンツデータを記録するコンテンツ記録装置における制御方法であって、
映像コンテンツデータを受信するステップと、
受信された映像コンテンツデータを複製して複製映像コンテンツデータを取得するステップと、
取得された複製映像コンテンツデータに対応する映像の解像度を低下させ、低解像度複製映像コンテンツデータを取得するステップと、
前記低解像度複製映像コンテンツデータを記憶するステップと
を備える制御方法。
【発明の詳細な説明】
【技術分野】
【０００１】
本発明は、テレビ放送等の映像コンテンツデータを記録するコンテンツ記録装置、コンテンツ記録プログラム、及び、コンテンツ記録装置における制御方法に関する。
【背景技術】
【０００２】
従来、テレビ放送の番組の録画を行う録画装置は、１つの解像度に対応した放送信号を受信すると、当該解像度の映像コンテンツデータをそのまま記憶する。例えば、特許文献１に記載の技術では、デジタル放送とアナログ放送で同一内容の放送が行われている場合に、デジタル放送の放送信号とアナログ放送の放送信号の双方を受信し、デジタル放送の映像コンテンツデータとアナログ放送の映像コンテンツデータの双方を記憶する。
【先行技術文献】
【特許文献】
【０００３】
【特許文献１】特開２００８−５４１０７号公報
【発明の概要】
【発明が解決しようとする課題】
【０００４】
しかしながら、上述した従来の録画装置においては、記録される映像コンテンツデータの解像度は固定されている。このため、以下のような問題が生じる。
【０００５】
例えば、家屋内に設けられた録画装置が、各部屋のモニタへ映像コンテンツデータを配信するような形態を想定する。録画装置とモニタとを接続する回線の伝送可能な帯域（伝送路容量）が低い場合には、録画装置が、高い解像度の映像コンテンツデータ、換言すれば、単位時間当たりのデータ量の多い映像コンテンツデータをモニタに向けて配信すると、モニタにおいて連続的な再生処理ができなくなる。
【０００６】
そこで、本発明は、記録された映像コンテンツデータの再生を適切に行うことを可能としたコンテンツ記録装置、コンテンツ記録プログラム、及び、コンテンツ記録装置における制御方法を提供することを目的とする。
【課題を解決するための手段】
【０００７】
上述した課題を解決するために、本発明は以下のような特徴を有している。まず、本発明の第１の特徴は、映像コンテンツデータを記録するコンテンツ記録装置（録画装置１０）であって、映像コンテンツデータを受信する受信部（受信処理部１５１）と、前記受信部により受信された映像コンテンツデータを複製して複製映像コンテンツデータを取得する複製部（複製部１５２）と、前記複製部により取得された複製映像コンテンツデータに対応する映像の解像度を低下させ、低解像度複製映像コンテンツデータを取得する解像度設定部（解像度設定部１５３）と、前記低解像度複製映像コンテンツデータを記憶する記憶部（メモリ１１２）とを備えることを要旨とする。
【０００８】
このようなコンテンツ記録装置は、受信した映像コンテンツデータを複製して複製映像コンテンツデータを取得した上で、当該複製映像コンテンツデータに対応する映像の解像度を低下させた低解像度複製映像コンテンツデータを取得し、記憶する。従って、元の映像コンテンツデータよりも解像度の低い映像コンテンツデータを記憶でき、解像度に関する各種の制約が存在するような場合においても、可能な限り映像コンテンツデータの再生を適切に行うことができる。
【０００９】
本発明の第２の特徴は、前記複製部は、外部接続又は内蔵された装置において処理可能な解像度の種類数の複製映像コンテンツデータを取得することを要旨とする。
【００１０】
本発明の第３の特徴は、前記複製部は、予め設定された数の複製映像コンテンツデータを取得することを要旨とする。
【００１１】
本発明の第４の特徴は、前記解像度設定部は、前記複製部により取得された複製映像コンテンツデータに対応する映像の解像度を、外部接続又は内蔵された装置において処理可能な解像度に低下させることを要旨とする。
【００１２】
本発明の第５の特徴は、前記解像度設定部は、前記複製部により取得された複製映像コンテンツデータに対応する映像の解像度を、予め定められた解像度に低下させることを要旨とする。
【００１３】
本発明の第６の特徴は、前記複製部は、自身による複製以外の処理が行われている場合に、前記受信部により受信された映像コンテンツデータを複製して複製映像コンテンツデータを取得する処理を制限することを要旨とする。
【００１４】
本発明の第７の特徴は、映像コンテンツデータを記録するコンピュータに、映像コンテンツデータを受信するステップと、受信された映像コンテンツデータを複製して複製映像コンテンツデータを取得するステップと、取得された複製映像コンテンツデータに対応する映像の解像度を低下させ、低解像度複製映像コンテンツデータを取得するステップと、前記低解像度複製映像コンテンツデータを記憶するステップとを実行させるコンテンツ記録プログラムであることを要旨とする。
【００１５】
本発明の第８の特徴は、映像コンテンツデータを記録するコンテンツ記録装置における制御方法であって、映像コンテンツデータを受信するステップと、受信された映像コンテンツデータを複製して複製映像コンテンツデータを取得するステップと、取得された複製映像コンテンツデータに対応する映像の解像度を低下させ、低解像度複製映像コンテンツデータを取得するステップと、前記低解像度複製映像コンテンツデータを記憶するステップとを備えることを要旨とする。
【発明の効果】
【００１６】
本発明によれば、記録された映像コンテンツデータの再生を適切に行うことを可能となる。
【図面の簡単な説明】
【００１７】
【図１】本実施形態に係るコンテンツ記録システムの概略構成を示す図である。
【図２】本実施形態に係る録画装置の詳細構成を示すブロック図である。
【図３】本実施形態に係る録画装置の動作を示すフローチャートである。
【発明を実施するための形態】
【００１８】
（１）コンテンツ記録システムの概略構成
図１を参照して、本実施形態に係るコンテンツ記録システムの概略構成を説明する。図１は、本実施形態に係るコンテンツ記録システム１の概略構成を示す説明図である。図１に示すように、コンテンツ記録システム１は、録画装置１０と、デジタル放送受像装置２０−１及びデジタル放送受像装置２０−２とを含んで構成される。コンテンツ記録システム１は、家屋内に構成される。
【００１９】
録画装置１０は、アンテナ４０が接続され、当該アンテナ４０を介してデジタル放送信号を受信する。録画装置１０は、ＬＡＮケーブルである通信回線３０−１を介してデジタル放送受像装置２０−１を接続する。録画装置１０は、ＬＡＮケーブルである通信回線３０−２を介してデジタル放送受像装置２０−２を接続する。
【００２０】
（２）録画装置の構成
図２は、録画装置１０の詳細構成を示すブロック図である。
【００２１】
図２に示す録画装置１０は、制御部１０２、メモリ１１２、低レートネットワークインタフェースカード（ＮＩＣ）１２０−１、高レートＮＩＣ１２０−２、ＳＤカードスロット１２１、ＤＶＤライタ１２２を含む。
【００２２】
制御部１０２は、例えばＣＰＵによって構成され、録画装置１０が具備する各種機能を制御する。メモリ１１２は、例えば、ＤＤＲ−ＳＲＡＭであり、録画装置１０が具備する各種機能を実現するために必要な情報を記憶している。
【００２３】
低レートＮＩＣ１２０−１は、通信回線３０−１に接続される。本実施形態では、低レートＮＩＣ１２０−１は、ＩＥＥＥ８０２．１１ｂ及びＩＥＥＥ８０２．１１ｇの規格に対応している。低レートＮＩＣ１２０−１は、制御部１０２からの映像コンテンツデータを、通信回線３０−１を介してデジタル放送受像装置２０−１へ送信する。
【００２４】
高レートＮＩＣ１２０−２は、通信回線３０−２に接続される。本実施形態では、高レートＮＩＣ１２０−２は、ＩＥＥＥ８０２．１１ｎの規格に対応している。高レートＮＩＣ１２０−２は、制御部１０２からの映像コンテンツデータを、通信回線３０−２を介してデジタル放送受像装置２０−２へ送信する。
【００２５】
ＳＤカードスロット１２１は、図示しないＳＤメモリカードが挿入され、制御部１０２からの映像コンテンツデータをＳＤメモリカードに書き込む処理を行う。
【００２６】
ＤＶＤライタ１２２は、図示しないＤＶＤが挿入され、制御部１０２からの映像コンテンツデータをＤＶＤに書き込む処理を行う。
【００２７】
制御部１０２は、チューナの機能を有する。この制御部１０２は、受信処理部１５１、複製部１５２、解像度設定部１５３、記憶処理部１５４及び出力部１５５を含む。
【００２８】
受信処理部１５１は、アンテナ４０を介して受信されたデジタル放送信号が入力される。本実施形態においては、入力されるデジタル放送信号は、地上デジタル放送、ＢＳデジタル放送、ＣＳデジタル放送の何れかのデジタル放送信号であり、且つ、ＨＤ（High Definition）解像度のデジタル放送信号である。受信処理部１５１は、ＨＤ解像度デジタル放送信号が入力されると、当該ＨＤ解像度デジタル放送信号を復調し、ＨＤ解像度の映像信号を取得する。更に、受信処理部１５１は、ＨＤ解像度映像信号を復号し、ＨＤ解像度映像コンテンツデータを取得する。
【００２９】
複製部１５２は、受信処理部１５１によってＨＤ解像度映像コンテンツデータが取得された後、制御部１０２によって複製以外の処理が行われているか否かを判定する。例えば、複製部１５２は、制御部１０２によって行われている処理のプロセスを監視することにより、複製以外の処理が行われているか否かを判定する。なお、録画装置１０の起動中に常時実行される処理が存在し、当該処理のみが実行中である場合には、複製部１５２は、複製以外の処理が行われていないと判定してもよい。
【００３０】
制御部１０２によって複製以外の処理が行われていないと判定された場合、複製部１５２は、ＨＤ解像度映像コンテンツデータを、内蔵機器及び外部機器の数だけ複製し、複製ＨＤ解像度映像コンテンツデータを取得する。
【００３１】
本実施形態において、外部機器とは、低レートＮＩＣ１２０−１に通信回線３０−１を介して接続されるデジタル放送受像装置２０−１と、高レートＮＩＣ１２０−２に通信回線３０−２を介して接続されるデジタル放送受像装置２０−２とを意味する。複製部１５２は、低レートＮＩＣ１２０−１に対応するドライバの実行状態に基づいて、低レートＮＩＣ１２０−１にデジタル放送受像装置２０−１が接続されているか否かを判定可能である。また、複製部１５２は、高レートＮＩＣ１２０−２に対応するドライバの実行状態に基づいて、高レートＮＩＣ１２０−２にデジタル放送受像装置２０−２が接続されているか否かを判定可能である。
【００３２】
また、本実施形態において、内蔵機器とは、ＳＤカードスロット１２１とＤＶＤライタ１２２とを意味する。複製部１５２は、ＳＤカードスロット１２１に対応するドライバの実行状態に基づいて、ＳＤカードに映像コンテンツデータを書き込むことが可能な状態であるか否かを判定可能である。また、複製部１５２は、ＤＶＤライタ１２２に対応するドライバの実行状態に基づいて、ＤＶＤに映像コンテンツデータを書き込むことが可能な状態であるか否かを判定可能である。
【００３３】
従って、本実施形態では、複製部１５２は、ＨＤ解像度映像コンテンツデータの複製により、０個乃至４個の複製ＨＤ解像度映像コンテンツデータを取得する。
【００３４】
なお、複製部１５２は、内蔵機器及び外部機器の数によらず、複製により、予め定められた数の複製ＨＤ解像度映像コンテンツデータを取得するようにしてもよい。
【００３５】
解像度設定部１５３は、複製ＨＤ解像度映像コンテンツデータの解像度を低下させ、低解像度映像コンテンツデータを取得する処理を行う。
【００３６】
具体的には、解像度設定部１５３は、低レートＮＩＣ１２０−１に通信回線３０−１を介してデジタル放送受像装置２０−１が接続されている場合、複製ＨＤ解像度映像コンテンツデータの解像度を低下させ、低解像度映像コンテンツデータとしてのＩＥＥＥ８０２．１１ｂ−１１ｇ対応映像コンテンツデータを取得する。ＩＥＥＥ８０２．１１ｂ−１１ｇ対応映像コンテンツデータの解像度は、ＩＥＥＥ８０２．１１ｂ又はＩＥＥＥ８０２．１１ｇにおける通信回線３０−１の帯域以下のビットレートとなる解像度であり、例えば６Ｍｂｐｓに対応する解像度である。
【００３７】
また、解像度設定部１５３は、低レートＮＩＣ１２０−１に通信回線３０−１を介してデジタル放送受像装置２０−１が接続されている場合、複製ＨＤ解像度映像コンテンツデータの解像度を低下させ、低解像度映像コンテンツデータとしてのＩＥＥＥ８０２．１１ｎ対応映像コンテンツデータを取得する。ＩＥＥＥ８０２．１１ｎ対応映像コンテンツデータの解像度は、ＩＥＥＥ８０２．１１ｎにおける通信回線３０−２の帯域以下のビットレートとなる解像度であり、例えば１０Ｍｂｐｓに対応する解像度である。
【００３８】
また、解像度設定部１５３は、ＳＤカードスロット１２１が内蔵されていることに対応して、複製ＨＤ解像度映像コンテンツデータの解像度を低下させ、低解像度映像コンテンツデータとしてのＳＤカード対応映像コンテンツデータを取得する。ＳＤカード対応映像コンテンツデータの解像度は、ＳＤカードに書き込まれた映像コンテンツデータの再生速度に対応する解像度であり、例えば２４６ｋｂｐｓに対応する解像度である。
【００３９】
また、解像度設定部１５３は、ＤＶＤライタ１２２が内蔵されていることに対応して、複製ＨＤ解像度映像コンテンツデータの解像度を低下させ、低解像度映像コンテンツデータとしてのＤＶＤ対応映像コンテンツデータを取得する。ＤＶＤ対応映像コンテンツデータの解像度は、ＤＶＤに書き込まれた映像コンテンツデータの再生速度に対応する解像度であり、例えば８Ｍｂｐｓに対応する解像度である。
【００４０】
なお、解像度設定部１５３は、上述した内蔵機器及び外部機器との関係によらず、予め定められた解像度の低解像度映像コンテンツデータを取得するようにしてもよい。
【００４１】
記憶処理部１５４は、解像度設定部１５３により取得された各低解像度映像コンテンツデータ（ＩＥＥＥ８０２．１１ｂ−１１ｇ対応映像コンテンツデータ、ＩＥＥＥ８０２．１１ｎ対応映像コンテンツデータ、ＳＤカード対応映像コンテンツデータ、ＤＶＤ対応映像コンテンツデータ）をメモリ１１２に記憶させる。
【００４２】
出力部１５５は、所定のタイミング、例えば、デジタル放送受像装置２０−１から要求されたタイミングで、メモリ１１２に記憶されたＩＥＥＥ８０２．１１ｂ−１１ｇ対応映像コンテンツデータをデジタル放送受像装置２０−１へ送信する処理を行う。出力部１５５は、所定のタイミング、例えば、デジタル放送受像装置２０−２から要求されたタイミングで、メモリ１１２に記憶されたＩＥＥＥ８０２．１１ｎ対応映像コンテンツデータをデジタル放送受像装置２０−２へ送信する処理を行う。出力部１５５は、所定のタイミング、利用者によって図示しない操作部が操作されてＳＤカードへの書き込みが要求されたタイミングで、メモリ１１２に記憶されたＳＤカード対応映像コンテンツデータをＳＤカードスロット１２１に挿入されたＳＤカードへ書き込む処理を行う。出力部１５５は、所定のタイミング、利用者によって図示しない操作部が操作されてＤＶＤへの書き込みが要求されたタイミングで、メモリ１１２に記憶されたＤＶＤ対応映像コンテンツデータを、ＤＶＤライタ１２２に挿入されたＤＶＤへ書き込む処理を行う。
【００４３】
（３）録画装置の動作
図３は、録画装置１０の動作を示すフローチャートである。
【００４４】
ステップＳ１０１において、録画装置１０は、アンテナ４０を介してＨＤ解像度デジタル放送信号を受信する。
【００４５】
ステップＳ１０２において、録画装置１０は、受信したＨＤ解像度デジタル放送信号を復調し、ＨＤ解像度映像信号を取得する。
【００４６】
ステップＳ１０３において、録画装置１０は、ＨＤ解像度映像信号を復号して、ＨＤ解像度映像コンテンツデータを取得する。
【００４７】
ステップＳ１０４において、録画装置１０は、複製以外の処理を実行中であるか否かを判定する。
【００４８】
複製以外の処理が実行中でない場合、ステップＳ１０５において、録画装置１０は、ＨＤ解像度映像コンテンツデータを、内蔵機器及び外部機器の数だけ複製し、複製ＨＤ解像度映像コンテンツデータを取得する。
【００４９】
ステップＳ１０６において、録画装置１０は、各複製ＨＤ解像度映像コンテンツデータの解像度を低下させ、低解像度映像コンテンツデータである、ＩＥＥＥ８０２．１１ｂ−１１ｇ対応映像コンテンツデータ、ＩＥＥＥ８０２．１１ｎ対応映像コンテンツデータ、ＳＤカード対応映像コンテンツデータ、ＤＶＤ対応映像コンテンツデータを取得する。
【００５０】
ステップＳ１０７において、録画装置１０は、ＩＥＥＥ８０２．１１ｂ−１１ｇ対応映像コンテンツデータ、ＩＥＥＥ８０２．１１ｎ対応映像コンテンツデータ、ＳＤカード対応映像コンテンツデータ、ＤＶＤ対応映像コンテンツデータをメモリ１１２に記憶させる。
【００５１】
（４）作用・効果
本実施形態のコンテンツ記録システム１では、録画装置１０は、アンテナ４０を介してＨＤ解像度デジタル放送信号を受信すると、当該ＨＤ解像度デジタル放送信号を復調し、ＨＤ解像度映像信号を取得し、更に、当該ＨＤ解像度映像信号を復号して、ＨＤ解像度映像コンテンツデータを取得する。その後、録画装置１０は、ＨＤ解像度映像コンテンツデータを、内蔵機器及び外部機器の数だけ複製し、複製ＨＤ解像度映像コンテンツデータを取得し、各複製ＨＤ解像度映像コンテンツデータの解像度を低下させ、低解像度映像コンテンツデータである、ＩＥＥＥ８０２．１１ｂ−１１ｇ対応映像コンテンツデータ、ＩＥＥＥ８０２．１１ｎ対応映像コンテンツデータ、ＳＤカード対応映像コンテンツデータ、ＤＶＤ対応映像コンテンツデータを取得し、メモリ１１２に記憶する。
【００５２】
従って、ＨＤ解像度映像コンテンツデータよりも低い解像度である低解像度映像コンテンツデータを保持することができ、通信回線の帯域、ＳＤカードやＤＶＤ等の外部記憶媒体の規格等、解像度に関する各種の制約が存在するような場合においても、可能な限り映像コンテンツデータの再生を適切に行うことができる。
【００５３】
また、本実施形態では、録画装置１０は、制御部１０２によって複製以外の処理が行われていない場合に、ＨＤ解像度映像コンテンツデータを複製する。従って、複製処理によって制御部１０２の処理負荷が増大し、他の処理の妨げとなることが防止される。
【００５４】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００５５】
上述した実施形態では、ＳＤカードスロット１２１及びＤＶＤライタ１２２が録画装置１０に内蔵され、デジタル放送受像装置２０−１及びデジタル放送受像装置２０−２が外部接続される場合について説明したが、ＳＤカードスロット１２１及びＤＶＤライタ１２２が外部接続され、デジタル放送受像装置２０−１及びデジタル放送受像装置２０−２が録画装置１０に内蔵される場合においても、同様に本発明を適用できる。更に、デジタル放送受像装置以外の再生装置が録画装置１０に内蔵、あるいは、外部接続され、ＳＤカードスロット１２１及びＤＶＤライタ１２２以外の外部記録媒体へ映像コンテンツデータを書き込む機器が録画装置１０に内蔵、あるいは、外部接続される場合にも、同様に、本発明を適用できる。
【００５６】
また、上述した実施形態では、録画装置１０と各デジタル放送受像装置との間がＬＡＮケーブルで接続されるようにしたが、他の通信回線が用いられる場合にも、同様に本発明を適用できる。
【００５７】
また、上述した実施形態では、コンテンツデータがデジタル放送データである場合について説明したが、インターネット等をストリーミングで配信されるコンテンツデータ、アナログ放送のデータ等、他のコンテンツデータの記録においても、同様に本発明を適用できる。
【００５８】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００５９】
１…コンテンツ記録システム、１０…録画装置、２０−１、２０−２…デジタル放送受像装置、３０−１、３０−２…通信回線、４０…アンテナ、１０２…制御部、１１２…メモリ、１２０−１…低レートＮＩＣ１２０−１、１２０−２…高レートＮＩＣ、１２１…ＳＤカードスロット、１２２…ＤＶＤライタ、１５１…受信処理部、１５２…複製部、１５３…解像度設定部、１５４…記憶処理部、１５５…出力部
【図１】
2012039221.tif 000003
【図２】
2012039221.tif 000004
【図３】
2012039221.tif 000005